【事件の表示】
　平成　９年特許願第　７６５３３号「有機エレクトロルミネッセンス表示装置及びその駆動方法」拒絶査定不服審判事件〔平成１０年　９月２５日出願公開、特開平１０−２５４４１０〕について、次のとおり審決する。
【結　論】
　本件審判の請求は、成り立たない。
【理　由】
第１　手続の経緯
　本件は、平成９年３月１２日にされた特許出願（平成９年特許願第７６５３３号。以下「本件出願」という。）につき、拒絶査定が平成１５年３月１７日付けでされ、同月２５日に発送されたところ、拒絶査定に対する審判が同年４月２４日に請求されるとともに同年５月２６日に手続補正書が提出されたものである。
　　
第２　平成１５年５月２６日付けの手続補正についての補正却下の決定
　１　補正却下の決定の結論
　平成１５年５月２６日付けの手続補正を却下する。
　　
　２　補正却下の決定の理由
　（１）平成１５年５月２６日付けの手続補正書による手続補正（以下「本件補正」という。）の内容
　　本件補正は、本件出願明細書の特許請求の範囲の請求項１及び請求項４を以下のとおり補正することを含むものである。
　　ア　本件補正前の特許請求の範囲の請求項１及び請求項４
「【請求項１】　各々有機エレクトロルミネッセンス素子による発光素子によってなる複数の画素が行及び列をなすようにマトリクス状に配列されて構成された表示パネルをアクティブマトリクス駆動する有機エレクトロルミネッセンス表示装置であって、
　前記各発光素子を所定の電圧値で駆動したときの前記各発光素子に流れる電流値を計測する計測手段と、
　前記計測手段により計測された前記電流値を記憶する記憶手段と、
　該記憶手段により記憶された電流値と外部から入力された発光素子の発光輝度を表す輝度データとを用いて、１フレーム期間内における所望の発光時間を演算する演算手段とを備えたことを特徴とする有機エレクトロルミネッセンス表示装置。」
「【請求項４】　各々有機エレクトロルミネッセンス素子による発光素子によってなる複数の画素が行及び列をなすようにマトリクス状に配列されて構成された表示パネルをアクティブマトリクス駆動する有機エレクトロルミネッセンス表示装置の駆動方法であって、
　前記発光素子のそれぞれを所定の一定電圧で駆動すると共にその際前記発光素子のそれぞれに流れる電流値を記憶し、外部から入力された前記各発光素子に対応する輝度データを前記電流値を用いて演算して１フレーム期間内における所望の発光時間を求め、
　前記発光素子のそれぞれを前記発光時間駆動することを特徴とする有機エレクトロルミネッセンス表示装置の駆動方法。」
　　イ　本件補正後の特許請求の範囲の請求項１及び請求項４
「【請求項１】各々有機エレクトロルミネッセンス素子による発光素子によってなる複数の画素が行及び列をなすようにマトリクス状に配列されて構成された表示パネルをアクティブマトリクス駆動する有機エレクトロルミネッセンス表示装置であって、
　前記各発光素子を所定の電圧値で駆動したときの前記各発光素子に流れる電流値を計測する計測手段と、
　前記計測手段により計測された前記電流値を記憶する記憶手段と、
　該記憶手段により記憶された電流値と外部から入力された発光素子の発光輝度を表す輝度データとを用いて、１フレーム期間内における所望の発光時間を演算する演算手段とを備え、
　前記計測手段は、前記各発光素子毎に対応して複数設けられていることを特徴とする有機エレクトロルミネッセンス表示装置。」
「【請求項４】各々有機エレクトロルミネッセンス素子による発光素子によってなる複数の画素が行及び列をなすようにマトリクス状に配列されて構成された表示パネルをアクティブマトリクス駆動する有機エレクトロルミネッセンス表示装置の駆動方法であって、
　前記発光素子のそれぞれを所定の一定電圧で駆動すると共にその際前記発光素子のそれぞれに流れる電流値を、各発光素子毎に対応して設けられた計測手段により計測して記憶し、
　外部から入力された前記各発光素子に対応する輝度データを前記電流値を用いて演算して１フレーム期間内における所望の発光時間を求め、
　前記発光素子のそれぞれを前記発光時間駆動することを特徴とする有機エレクトロルミネッセンス表示装置の駆動方法。」
　　
　（２）　本件補正の適否について
　本件補正は、本件補正前の請求項１に係る発明について「前記計測手段は、前記各発光素子毎に対応して複数設けられている」との限定を付加すると共に請求項４に係る発明について「各発光素子毎に対応して設けられた計測手段により計測して」との限定を付加するものであって、特許法第１７条の２第４項第２号の特許請求の範囲の限定的減縮を目的とするものに該当する。
　上記手続補正後の請求項１に係る発明（以下「本願補正発明」という。）が特許出願の際独立して特許を受けることができるものであるかについて以下に検討する。
　
　（ア）引用刊行物記載の発明
　原査定の拒絶の理由に引用された特開昭５９−１８１８８２号公報（以下、「引用刊行物Ａ」という。）には、
（Ａ−１）「多数の発光素子を配列して映像画面を形成した表示器と、映像信号としてデイジタル化された階調データを出力する信号発生手段と、前記表示器の少なくとも一画面に対応する階調データを記憶させる第１のメモリと、前記映像画面を複数に分けたブロツク毎に設けられ、このブロツク内の前記発光素子を順次点灯させる定電圧を供給するとともに、この発光素子の電流を検出する電流検出部と、この検出部の出力信号に基づき、ブロツク内の前記発光素子の平均電流に対する各発光素子の電流偏差分を階調データの階差に換算して出力する信号処理手段と、この信号処理手段のデータを記憶させる第２のメモリと、前記第１のメモリの階調データを前記第２のメモリのデータによつて補正して出力する演算回路と、この演算回路より出力される階調データに対応する時間だけ前記発光素子を点灯させる表示制御回路を具備したことを特徴とする映像表示装置。」（特許請求の範囲）こと、
（Ａ−２）「本発明は多数個配列された発光素子を、映像信号としてのデイジタル化された階調データに対応して点灯させる映像表示装置に関する。」（１頁右下欄５〜７行）こと、
（Ａ−３）「この種の従来の装置は第１図に示すように、アンテナ１１で受信された映像信号が、増幅および選局等を行う受信部１２を介して映像信号発生装置１３に加えられる。この映像信号発生装置１３はアナログ信号をデイジタル信号に変換するとともに、この映像信号が映像画面を構成する発光素子の発光階調の何れかに属するかを判定してデイジタル化された階調データを発生する。一方、受信部１２には同期信号検出回路１４が接続されており、この同期信号検出回路１４の出力に基いてタイミング信号発生回路１５が書き込み、読み出し信号Ｒ／Ｗ、行選択用のアドレス信号ＲＡＤＤ、列選択用のアドレス信号ＣＡＤＤ（当審注：ＣＤＤはＣＡＤＤの誤記と認める。）およびラツチ信号ＲＡＴを出力し、さらに、同期信号検出回路１４の出力信号に基いてカウンタ１６が映像の略１シーンに対応する時間を経過する毎にクリヤされ、且つ、この時間内に順次階調数に応じた値までレベルが１づつ増える階調レベル信号ＵＰＤを出力している。ここで映像信号発生装置１３の出力端には、タイミング信号発生部１５の書き込み、読出し信号Ｗ／Ｒおよびアドレス信号ＲＡＤＤ，ＣＡＤＤによつて一画面分の階調データを記憶する表示メモリ１７が設けられており、ちょうど一画面分の階調データの書き込みを終了した時点で、この階調データが読み出されて表示制御回路２０に加えられる。この表示制御回路２０はアドレス信号ＲＡＤＤによつて作動する行選択デコーダ、アドレス信号ＲＡＤＤおよびラツチ信号によつて作動する列選択デコーダ２２、発光素子のそれぞれに対応してマトリクス状に配置されるラツチ２３およびコンパレータ２４等をそなえており、前記表示メモリ１７から読み出された発光素子毎の階調データがラツチ２３に記憶されるとともに、ラッチ２３の階調データの数値が階調レベル信号ＵＰＤの値より大きくなつている期間、表示信号Ｓ00〜Ｓmnを出力する。また、表示信号Ｓ00〜Ｓmnは、トランジスタ等のスイツチング素子をそなえる表示駆動回路３０に加えられ、この表示駆動制御回路３０が表示器４０の映像画面を形成する発光素子４１を点灯させることになる。かくして、発光素子４１は階調データの値に応じた時間だけ点灯され、結局、映像信号に対応する画像が表示器４０に映出される。なお、表示メモリ１７の階調データが表示制御回路２０のラツチ２３に記憶されている間、表示メモリ１７には次のシーンに対応する一画面分の階調データが書き込まれ、以下、上述した操作が順次繰返される。ところで、表示器４０を構成する発光素子としては、電球、発光ダイオード、陰極線管（ＣＲＴ）等が用いられるが、縦横に多数個配列される発光素子には、一定の入力に対して略等しい発光特性を持つものが要求される。このため、従来は発光特性が類似した発光素子を選別したり、あるいは、発光素子毎に光量調整回路を設けたりしていたが、１つの表示器に数万個の発光素子を用いるものにあつては、発光特性の類似する素子を揃えることが極めて難しく、結局、光量調整回路を設置しなければ、発光素子のバラツキを補正することはできないものとされていた。しかしながら、数万個に及ぶ発光素子の夫々に光量調整回路を設けることは現実的には難しく、第１図に示す従来���映像表示装置はかかる光量調整回路を持たず、階調データに対応した画像を忠実に映出すことができないという欠点があつた。本発明は上記従来のものの欠点を除去するためになされたもので、光量調整回路を用いることなく、値の等しい階調データに対応して映像画面を構成する多数の発光素子の光量を均一化し得、これによって階調データに対応した忠実な画像を映出し得る映像表示装置の提供を目的とする。」（１頁右下欄７行〜２頁左下欄最下行）こと、
（Ａ−４）「第２図は本発明に係る映像表示装置の構成例を示すブロック図で、第１図と同一の符号を示したものはそれぞれ同一の要素を示している。そして、映像画面を複数に分けたブロック毎に設けられ、このブロック内の発光素子を順次点灯させる定電圧を供給するとともに、これらの発光素子の電流をそれぞれ検出する電流検出部５０と、この電流検出部５０の出力信号を処理し易いように例えば増幅するための入力部５０ａと、この入力部５０ａを介して得られる信号に基づきブロック内の全発光素子の平均電流に対する各発光素子の電流偏差分を階調データの階差に換算して出力する信号処理手段としての操作部６１およびデータ処理部６２と、データ処理部６２の出力データを記憶させる光量補正メモリ６３と、操作部６１の操作信号により切替操作され、書き込み読み出し信号Ｒ／Ｗ、アドレス信号ＲＡＤＤ，ＣＡＤＤを表示メモリ１７に与える代わりに光量補正メモリ６３に加える切替スイッチ６４と、表示メモリ１７および光量補正メモリ６３から読み出されデータを加え合わせて表示制御回路２０に加える累算器６５とが新たに付加されている。第３図は電流検出部５０の要部の詳細な構成を示し、１ブロックに属する発光素子４１の一端が共通接続されるとともに電流検出回路５１を介して一方の電源端子５３に接続され、さらに、発光素子４１のそれぞれの他端にはトランジスタ５２のコレクタが接続されており、これらのトランジスタ５２のエミツタは他方の電源端子に共通接続され、また、これらのトランジスタ５２のベースはそれぞれ個別に制御信号Ｓ１を加えるための端子５５に接続されている。また、第４図は累算器６５の詳細な構成を示し、表示メモリ１７および光量補正メモリ６３からそれぞれ読み出された階調データＤ１および光量補正データＤ２を加減算する加減算回路６５１・・・で構成されている。」（３頁左上欄２行〜左下欄１行）こと、
（Ａ−５）「先ず、操作部６１を操作したとき、切替スイッチ６４が破線で示した側に切替えられ、また、図示しない系統を介して、アンテナ１１の代わりに例えば掃引発振器が受信部１２に接続されるように講じられており、タイミング信号発生器１５より出力される書き込み読み出し信号Ｒ／Ｗ，アドレス信号ＲＡＤＤ，ＣＡＤＤが光量補正メモリ６３に加えられる。なお、このとき表示制御回路２０が切離されて、表示器４０の発光素子４１には電流検出部５０を介して電力が供給されるようになつている。ここで、電流検出部５０の電源端子５３，５４間に一定電圧を供給する一方、点灯制御用の端子５５より順次トランジスタ５２のベース電流を供給すると、発光素子４１が順次点灯して電流検出回路５１から電流検出信号Ｓ２が選出される。・・・次に、電流検出信号Ｓ２が入力部５０ａを介してデータ処理部６２に加えられると、データ処理部６２は電流値の平均値を求める一方、この平均値と各発光素子４１の電流値との偏差分を階調データの階差に換算して出力する。このとき、光量補正メモリ６３には上述した如く、書き込み読み出し信号Ｒ／Ｗとアドレス信号ＲＡＤＤ，ＣＡＤＤが加えられているため、階調データの階差で表わされた値が指定された番地に書き込まれる。なお、発光電流の平均値に対してより大きな電流値を示したときに負値として、反対に平均値に対してより小さな電流値を示したとき正値として書き込まれる。続いて操作部６１を初期状態にリセットすると、切替スイッチ６４は実線で示した側に切替えられ、同時に図示しない掃引発振器の切離し、ならびに、表示制御装置２０の接続が行なわれる。これによつて、第１図を用いて説明したと同様に、アンテナ１１で受信された映像信号の一画面分の階調データが表示メモリ１７に書き込まれる。この状態で表示メモリ１７および光量補正メモリ６３のデータ読み出しを行うと、両データが累算器６５によって加減算されて表示制御回路２０に加えられる。ここで階調データＤ１が表示メモリ１７から・・・読み出されると、これに同期して光量補正メモリ５１から光量補正メモリデータＤ２が読み出される。加減算回路５２１は光量補正データＤ２が負値のときはＤ１−Ｄ２の演算を行い、Ｄ２が正値のときはＤ１＋Ｄ２の演算を行う。・・・かくして、同一の電力に対して暗すぎる発光素子はより長く点灯されて明るくなり、同一の電力に対して明るすぎる発光素子は点灯時間が制限されて暗くなることから、一定の階調データに対して光量を均一化することができる。」（３頁左下欄５行〜４頁右上欄４行）ことが記載されている。
（Ａ−６）また、第１図には、表示器４０に発光素子４１が行と列をなすように配列されていること、及び、コンパレータ２４（当審注：第１図では２３から表示信号Ｓ00〜Ｓmnが表示駆動回路３０に加えられているが、表示メモリ１７の階調データがラッチ２３に記憶されることが上記（Ａ−２）に記載されており、第１図の「２３」は、第２図のように、「２４」（すなわちコンパレータ）の誤記と認める。）から表示信号Ｓ00〜Ｓmnが表示駆動回路３０に加えられることが描かれている。
　上記（Ａ−１）〜（Ａ−６）の記載を参照すると、上記引用刊行物Ａには、
「発光ダイオード等の発光素子４１が行と列をなすように配列された表示器４０を駆動する映像表示装置であって、
　端子５３，５４に一定電圧を供給して映像画面を複数に分けたブロック内の各発光素子４１の電流を電流検出回路５１でそれぞれ検出し、電流検出信号Ｓ２を出力する電流検出部５０と、
　検出された電流検出信号Ｓ２を入力しブロック内の全発光素子の平均電流に対する各発光素子の電流偏差分を階調データの階差に換算して出力するデータ処理部６２と、
　データ処理部６２の出力されたデータを記憶する光量補正メモリ６３と、
　光量補正メモリ６３の光量補正メモリデータＤ２とアンテナ１１で受信された映像信号の一画面分の階調データを記憶した表示メモリ１７の階調データＤ１とを加減算回路６５１で加減算して出力する累算器６５と、
　累算器６５の出力をラッチするラッチ２３と、
　映像の略１シーンに対応する時間内に順次階調数に応じた値までレベルが１づつ増える階調レベル信号ＵＰＤを出力するカウンタ１６と、
　カウンタ１６とラッチ２３を比較し、ラッチ２３の階調データの数値が階調レベル信号ＵＰＤの値より大きくなっている期間、表示信号Ｓ00〜Ｓmnを出力するコンパレータ２４と、
　コンパレータ２４からの表示信号Ｓ00〜Ｓmnにより発光素子４１を点灯させる表示駆動回路３０とを備え、
　電流検出回路５１で検出した各発光素子４１に流れる電流をデータ処理部６２でブロック内の全発光素子の平均電流に対する電流偏差分の階調データの階差に換算して光量補正メモリ６３に記憶し、記憶された光量補正メモリ６３の光量補正メモリデータＤ２と表示メモリ１７の階調データＤ１とを累算器６５で加減算して出力される階調データに対応する時間だけ映像の略１シーンに対応する時間内で発光素子を点灯することを特徴とする映像表示装置。」の発明（以下「引用発明」という。）が記載されている。
　さらに、原査定の拒絶の理由に引用された特開平８−５４８３５号公報（以下、「引用刊行物Ｂ」という。）には、
（Ｂ−１）「【特許請求の範囲】【請求項１】素子に流れる電流に応じて輝度が変化する発光素子からなる画素を選択するための走査線と、前記画素を駆動するための電圧を供給するデータ線とが基板上にマトリクス状に配設され、前記走査線と前記データ線との交差部に、前記発光素子に流れる電流を制御する電流制御トランジスタと、前記データ線に印加された電圧を前記走査線が選択時に前記電流制御トランジスタの動作電流を決定する制御電極に印加するスイッチングトランジスタと、前記発光素子と、を含むアクティブマトリクス型の電流制御型発光素子の駆動回路において、前記電流制御トランジスタを１又は複数備え、前記発光素子は前記１又は複数の電流制御トランジスタと互いに電気的に並列形態に接続され、前記１又は複数の電流制御トランジスタの電流が流れる電極と前記発光素子の一側の電極との共通接続点に定電流源を接続して成ることを特徴とする電流制御型発光素子の駆動回路に関する。」こと、
（Ｂ−２）「【０００１】【産業上の利用分野】本発明は、ディスプレイに用いられる発光素子の駆動装置に関し、特に有機及び無機ＥＬ（エレクトロルミネンス）、又はＬＥＤ（発光ダイオード）等のような発光輝度が素子を流れる電流により制御される電流制御型発光素子の駆動回路に関する。」ことが記載されている。
　　　　
　（イ）本願補正発明についての対比・判断
　（イ−１）　本願補正発明と引用発明とを対比する。
　引用発明の「発光ダイオード等の発光素子４１」、「表示器４０」、「端子５３，５４に一定電圧を供給して映像画面を複数に分けたブロック内の各発光素子４１の電流を電流検出回路５１でそれぞれ検出し、電圧検出信号Ｓ２を出力する電流検出部５０」、「アンテナ１１で受信された映像信号の一画面分の階調データを記憶した表示メモリ１７の階調データＤ１」、「映像表示装置」がそれぞれ本願補正発明の「画素」、「表示パネル」、「各発光素子を所定の電圧値で駆動したときの前記各発光素子に流れる電流値を計測する計測手段」、「外部から入力された発光素子の発光輝度を表す輝度データ」、「表示装置」に相当する。
　また、引用発明も「発光素子４１が行と列をなすように配列され」ているから、引用発明も本願補正発明と同様に「発光素子によってなる複数の画素が行及び列をなすようにマトリクス状に配列されて構成され」ていることになる。
　そして、引用発明では電流検出回路５１で検出した各発光素子４１に流れる電流を、データ処理部６２でブロック内の全発光素子の平均電流に対する電流偏差分の階調データの階差に換算して光量補正メモリ６３に記憶し、記憶された光量補正メモリ６３の光量補正メモリデータＤ２と表示メモリ１７の階調データＤ１とを累算器６５で加減算して出力される階調データに対応する時間だけ映像の略１シーンに対応する時間内で発光素子を点灯しているから、引用発明の「データ処理部６２、光量補正メモリ６３、累算器６５」が本願補正発明の「１フレーム期間内における所望の発光時間を演算する演算手段」に相当するとともに「各発光素子に流れる電流値を計測する計測手段により計測された電流値と入力された発光素子の発光輝度を表す輝度データとを用いて発光素子の発光時間を演算する」ことで共通するものである。
　そうすると、本願補正発明と引用発明とは、
　「各々発光素子によってなる複数の画素が行及び列をなすようにマトリクス状に配列されて構成された表示パネルを駆動する表示装置であって、
　前記各発光素子を所定の電圧値で駆動したときの前記各発光素子に流れる電流値を計測する計測手段と、
　該計測手段により計測された電流値と外部から入力された発光素子の発光輝度を表す輝度データとを用いて、１フレーム期間内における所望の発光時間を演算する演算手段とを備えたことを特徴とする表示装置。」である点で一致し、次の相違点（あ）〜（う）で相違している。
　　　　　
・相違点（あ）
　本願補正発明ではマトリクス状に配置された発光素子として「有機エレクトロルミネッセンス素子よる発光素子」を用いるとともにマトリクス状に配置された発光素子を「アクティブマトリクス駆動」するのに対して、引用発明ではマトリクス状に配置された発光素子として「発光ダイオード等の発光素子４１」を用いており、さらにマトリックス状に配置された発光素子について「アクティブマトリクス駆動」する構成を備えていない点。
　　　　
・相違点（い）
　計測手段により計測された電流値と外部から入力された発光素子の発光輝度を表す輝度データとを用いて、１フレーム期間内における所望の発光時間を演算手段で演算する際、本願補正発明では「計測手段により計測された電流値を記憶する記憶手段」を備え、「記憶手段により記憶された電流値」を用いて演算しているのに対して、引用発明では「計測手段により計測された電流値を記憶する記憶手段」を備えていない点。
　　　　
・相違点（う）
　本願補正発明では「計測手段は、各発光素子毎に対応して複数設けられている」のに対して、引用発明では「計測手段は、各発光素子毎に対応して複数設けられている」構成を備えていない点。
　　　　
　（イ−２）そこで、上記相違点（あ）〜（う）について判断する。
・相違点（あ）について
　マトリクス状に配置された発光素子として有機エレクトロルミネッセンス素子による発光素子を用いることは上記引用刊行物Ｂに記載されているように周知（他に、特開平４−１２５６８３号公報〔特許請求の範囲〕、特開平７−５７８７１号公報〔段落番号【０００１】〜【０００３】〕、特開平７−１１１３４１号公報〔【請求項３】、段落番号【０００１】〕参照）であり、さらに、マトリクス状に配置された発光素子をアクティブマトリクス駆動することも上記引用刊行物Ｂに記載されているように周知（他に、有機エレクトロルミネッセンス素子については特開平４−１２５６８３号公報〔特許請求の範囲〕、特開平７−５７８７１号公報〔段落番号【０００１】〜【０００３】〕、特開平７−１１１３４１号公報〔【請求項３】、段落番号【０００１】〕参照）であって、引用発明の発光ダイオードの発光素子も周知の有機エレクトロルミネッセンス素子発光素子もともにマトリックス状に配置された発光輝度が素子を流れる電流で制御される電流制御型の発光素子であることから、引用発明においてもマトリクス状に配置された発光素子として発光ダイオード等の発光素子４１の代わりに同じ電流制御型の発光素子である有機エレクトロルミネッセンス素子を用いるとともにマトリクス状に配置された発光素子をアクティブマトリクス駆動することは当業者であれば容易になし得るものである。
　　
・相違点（い）について
　計測手段により計測された値を記憶する記憶手段を備えることは周知であり、さらに引用発明においても「データ処理部６２、光量補正メモリ６３、累算器６５」が電流検出部５０で検出した各発光素子を流れる電流値を用いて演算することにより各発光素子の階調データ、すなわち輝度を補正していることから、引用発明においても、計測手段としての電流検出部５０で各発光素子を流れる電流値を用いて各発光素子の階調データを演算する際に、各発光素子を流れる電流値を記憶する記憶手段を設け、記憶手段に記憶された電流値を用いて演算することは当業者であれば容易になし得るものである。
　　　　　　
・相違点（う）について
　発光素子が所定の輝度を保っているかを検出するため、あるいは発光素子の点灯不良、点灯状態を検出するために各発光素子毎に電流検出器を設けることは周知（例えば特開平２−２１８１８３号公報〔２頁左上欄１行〜左下欄８行、第１図の電流検出素子である抵抗器５ａ〈３頁右下欄１０，１１行〉〕、特開平２−１０５５８９号公報〔第１図の電流制限及び電流検出兼用の抵抗１０ａ,１０ｂ〕、特開平４−２２９８９号公報〔第１図、第５図の電流検出回路ＣＳ〕、特開平６−２８９８０５号公報〔図１の電流検出器８〕参照）の技術事項であり、これらの発光素子が所定の輝度を保っているかを検出すること、あるいは発光素子の点灯不良、点灯状態を検出することは発光素子の発光状態を検出するものである。
　一方、引用発明の電流検出部５０の電流検出回路５１で各発光素子４１の電流を検出することも、各発光素子に流れる電流値を検出して、どの程度の光量で発光しているかを見る、すなわち上記の周知の技術事項と同様に発光素子の発光状態を検出するものであるから、引用発明においても各発光素子を流れる電流値を検出して、各発光素子がどの程度の光量で発光しているかの発光状態を検出するために各発光素子毎に各発光素子を流れる電流検出器を設けることは当業者であれば容易になし得るものである。
　そして、本願補正発明によってもたらされる効果は、上記引用発明及び周知の技術事項から予測される範囲内のものであって、格別のものではない。
　したがって、本願補正発明は、引用発明及び周知の技術事項に基づき当業者が容易に発明をすることができたものであるから、特許法第２９条第２項の規定により特許出願の際独立して特許を受けることができないものである。
　　　　　　　
　（３）　補正却下の決定についてのむすび
　以上の通りであるから、本件補正は、平成１５年法律４７号による改正前の特許法第１７条の２第５項において準用する同法第１２６条第４項の規定に違反するものであり、同法第１５９条第１項において読み替えて準用する同法第５３条の規定により却下しなければならないものである。
　　　
第３　本件出願に係る発明
　平成１５年５月２６日付け手続補正は上記のとおり却下したので、本件出願の請求項１〜６に係る発明は、出願当初の明細書及び図面の記載からみて、特許請求の範囲の請求項１〜６に記載されたとおりのものであって、その請求項１に係る発明（以下、「本願発明」という。）は、上記のとおりのものと認める。
　　　　　
第４　引用刊行物に記載された発明
　原査定の拒絶の理由に引用された引用刊行物Ａ及び引用刊行物Ｂとそれぞれの引用刊行物の記載事項は上記のとおりである。
　
第５　対比・判断
　本願発明を限定したものである本願補正発明が、前述のとおり、上記引用発明及び周知の技術事項に基づき当業者が容易に発明をすることができたものであるから、本願発明も、同様の理由により引用発明及び周知の技術事項に基づき当業者が容易に発明をすることができたものである。
　　　　　　　
第６　むすび
　以上のとおりであるから、本願発明は特許法第２９条第２項の規定により特許を受けることができないものであるので、その余の請求項に係る発明について検討するまでもなく、本件出願は、拒絶をすべきものである。
  よって、結論のとおり審決する。